(57)【要約】【課題】本発明の第１の目的は、コインセレクタにおいてコインを投入せずともそのコインセレクタの特性を加味した基準データを設定できるコインセレクタを提供することである。本発明の第２の目的は、コインセレクタの基準データを容易に設定替えされないコインセレクタ及びその外部設定装置を提供することである。【解決手段】複数の基準データ記憶手段、外部設定装置からの指示に基づいて前記基準データ記憶手段のうちの一つを有効にする選択有効手段、有効にされた前記基準データ記憶手段の記憶データとコインセンサの出力に基づくデータを比較して真偽信号を出力する判別手段、前記判別手段の出力に基づいてゲートを制御するゲート制御手段、を備えるコインセレクタである。【選択図】図１
2004355042.tif 000002
【特許請求の範囲】
【請求項１】
複数の基準データ記憶手段（５６）、外部設定装置（７４）からの指示に基づいて前記基準データ記憶手段（５６）のうちの一つを有効にする選択手段（７２）、有効にされた前記基準データ記憶手段（５６）の記憶データとコインセンサ（２０）の出力に基づくデータを比較して真偽信号を出力する判別手段（５４）、前記判別手段（５４）の出力に基づいてゲート（１６）を制御するゲート制御手段（７６）、を備えるコインセレクタ。
【請求項２】
前記基準データ記憶手段（５６）は、基準コインを前記コインセレクタ（１）に投入して前記コインセンサ（２０）から得られたデータに基づいて設定された基準データを記憶している請求項１のコインセレクタ。
【請求項３】
前記外部設定装置（７４）とセレクタ回路（２１）とは、コネクタ付きケーブル（８８）によって接続可能であり、前記ケーブル（８８）は信号ライン（８９）と電源ライン（９１）を含んでいる請求項１のコインセレクタ。
【請求項４】
前記外部設定装置（７４）は、基準データの選択スイッチ（９４、９６、９８、１００、１０２、１０４、１０６）及び選択実行スイッチ（１２２）を含んでいる請求項２のコインセレクタに用いる外部設定装置。
【請求項５】
さらに、機上基準データ作成手段（１３４）を備える請求項４のコインセレクタに用いる外部設定装置。
【請求項６】
さらに、前記外部設定装置（７４）は、調整値表示手段（１３０）を備える請求項５のコインセレクタに用いる外部設定装置。
【発明の詳細な説明】
【０００１】
【発明が属する技術分野】
本発明は、コインの真偽を判定するコインセレクタに関する。
特に、コイン判定用の選別基準データの設定を容易かつ正確に設定できるコインセレクタに関する。
さらに、コインセレクタの基準データの変更を特定の者のみが容易に行えるようにして不正な変更を不能にしたコインセレクタに関する。
なお、本明細書で使用する「コイン」は、通貨であるコイン、ゲーム機のメダルやトークン等の代用貨幣、及び、それらと類似のものを包含する。
【０００２】
【従来の技術】
本出願人は、コインセレクタの判別用のデータを簡単に書き換えられないようにする技術を提案した（例えば、特許文献１参照。）。
【０００３】
【特許文献１】
特開２０００―３６０６７号公報（第３―５頁、第２、３、５、６図）
（対応米国特許６１２５９８７）
【０００４】
この技術は、キーコインをコインセレクタに投入することにより、コイン判別のための基準データ作成モードに切り替え、所定数の正貨コインをそのコインセレクタに投入することにより、正貨データを取得し、その取得データに基づいて基準データを作成してコインセレクタの記憶回路に記憶するものである。
【０００５】
この技術は、コインセレクタにコインを投入して基準データを作成するため、個々のコインセレクタの組み立て精度等の特性に基づいた基準データを作成できるので、判別精度が向上する利点を有する。
また、キーコインを持つ者、例えば管理者のみが基準データを書き換えることができる利点を有する。
しかし、基準データ作成のため、所定数のコインをコインセレクタに投入せねばならず、工数を要するという問題がある。
【０００６】
例えば、コインの所定数が２０個であり、書換対象コインセレクタが１００台の場合、トータルするとコインを２０００回もコインセレクタに投入せねばならず、作業時間を要するものであった。
また、投入コインが標準から偏っている場合、その偏ったデータがサンプリングされて基準データが作成される。
結果として、正貨が偽貨に判定される恐れがある。
【０００７】
【発明が解決しようとする課題】
本発明の第１の目的は、コインセレクタにおいてコインを投入せずともそのコインセレクタの特性を加味した基準データを容易に設定できるコインセレクタを提供することである。
本発明の第２の目的は、コインセレクタの基準データを容易に書き換えられないコインセレクタ及びその外部設定装置を提供することである。
【０００８】
【課題を解決するための手段】
この目的を達成するため、本発明にかかるコインセレクタは、以下のように構成されている。
複数の基準データ記憶手段、外部設定装置からの指示に基づいて前記基準データ記憶手段のうちの一つを有効にする選択有効手段、有効にされた前記基準データ記憶手段の記憶データとコインセンサの出力に基づくデータを比較して真偽信号を出力する判別手段、前記判別手段の出力に基づいてゲートを制御するゲート制御手段、を備えるコインセレクタである。
【０００９】
この構成によれば、コインを判定するための基準データは、予め基準コインをそのコインセレクタに投入することにより作成され、基準データ記憶手段に記憶されている。
判定対象コインの設定を切り換える場合、外部設定装置をコインセレクタに接続し、コインセレクタの選択手段を、新たに選択した基準データ記憶手段が有効になるようにする。
これにより、コインセンサによって検知した投入コインのデータと、選択手段によって有効にされた基準データとを判別手段において比較して真偽判別する。
この真偽判別に基づいて、ゲート制御手段を制御し、判別コインを正貨と偽貨に振り分ける。
【００１０】
したがって、コイン判別用の基準データは、コインセレクタの複数の基準データ記憶手段に記憶され、必要に応じてその基準データを有効にする作業をするだけで良いので、複数の基準コインを投入して作成する必要が無く、容易に基準データを変更できる利点がある。
また、基準データ記憶手段に記憶された基準データは書き換えられないので、基準データの信頼性が高い。
さらに、記憶されている基準データを有効化するには、外部設定装置を操作できる者に限られるので、不正に基準データを書き換えられる恐れがない。
例えば、管理者のみが外部設定装置を所持することにより、管理者のみが基準データを書き換えることができる。
【００１１】
本発明は、前記基準データ記憶手段が、基準コインを前記コインセレクタに投入して当該コインセンサから得られたデータに基づいて設定された基準データを記憶していることが好ましい。
【００１２】
この構成によれば、コイン判別用の基準データは、予めコインセレクタに基準コインを投入することによって作成され、基準データ記憶手段に記憶されている。
したがって、コインセレクタ個別の部品精度や組み立て精度等の特性に基づいた基準データが設定されているので、判別精度が高い利点を有する。
【００１３】
本発明は、前記外部設定装置とセレクタとは、コネクタ付きケーブルによって接続可能であり、前記ケーブルは電源ラインと信号ラインを含んでいることが好ましい。
【００１４】
この構成によれば、基準データの切り換えに際して、外部設定装置とコインセレクタとをコネクタ付きケーブルによって接続する。
このコネクタ付きケーブルには、電源ラインと信号ラインを含んでいるので、外部設定装置はコインセレクタから電源を供給される。
したがって、外部設定装置は電源を個別に装着せずとも良いので、小型、かつ軽量にでき、持ち運びに便利である利点がある。
【００１５】
本発明は、前記外部設定装置は、基準データの選択スイッチ及び選択実行スイッチを含んでいることが好ましい。
この構成によれば、基準データの選択スイッチによって、コインセレクタの複数の記憶装置に記憶されている基準データのうちから任意に選択した一つの基準データを選択する。
次に、選択実行スイッチを操作することでコインセレクタの記憶装置に記憶されている複数の基準データのうち、基準データの選択スイッチによって選択された基準データのみが有効にされる。
【００１６】
したがって、基準データの選択スイッチと選択実行スイッチの二つのスイッチを操作することで基準データの切り換えを行うことができるので、切り換えが容易である。
また、連続して同じ設定に切り換える場合、選択実行スイッチのみ操作すればよいので極めて簡単である。
【００１７】
本発明は、機上基準データ作成手段を備えることが好ましい。
機上基準データ作成手段により、コインセレクタの基準データ記憶装置に記憶されていない新たなコイン判別用の基準データを、複数の基準コインを投入することにより作成し、記憶させることができる。
したがって、基準データが記憶されていない新たなコインの判別用の設定を容易に行うことができる。
【００１８】
本発明は、外部設定装置は、調整値表示手段を備えることが好ましい。
この構成によれば、新たな基準データを作成する場合、基準コインに対する感度を調整値表示手段で目視確認しながら設定できるので、基準データの作成が容易である利点を有する。
【００１９】
本発明は、前記調整値表示手段は、調整値に基づいて発光位置が変化することが好ましい。
この構成によれば、基準コインに対する感度を調整値表示手段の発光位置によって目視しつつ調整できるので、さらに容易に基準データを作成することができる利点がある。
【００２０】
【発明の実施の形態】
図１は、実施例のコインセレクタと外部設定装置の斜視図である。
図２は、実施例のコインセレクタのブロック図である。
図３は、実施例の外部設定装置のブロック図である。
図４は、実施例のコインセレクタの基準データのイニシャルセット用のフローチャートである。
図５は、実施例の対象コイン切換時の基準データ選択換え用のフローチャートである。
図６は、実施例の外部設定装置の作用説明用のフローチャートである。
図７は、実施例のコインセレクタの作用説明用のフローチャートである。
【００２１】
初めにコインセレクタ１の構造を説明する。
コインセレクタ１は、矩形の箱型であり、例えばスロットマシンなどに取り付けられる。
例えば、米国特許第６，０５６，１０５号に開示のものを使用する。
コインセレクタ１は、機械部４と電気部６とを含んでいる。
機械部４は、コイン１８の投入口１２に連なるコイン通路１４、コイン通路１４の下部に配置したゲート１６、正貨通路２８及び偽貨通路３０を含んでいる。
電気部６は、コイン通路１４を通るコイン１８の判別用データを検知するコインセンサ２０及び各種回路よりなるセレクタ回路２１を含んでいる。
【００２２】
まず機械部４の構造を説明する。
コイン通路１４は、投入口１２に投入され、自然落下するコイン１８を所定位置を保ちつつ案内する機能を有し、傾斜形、垂直形又は湾曲形等に形成される。
実施例のコイン通路１４は、ほぼ垂直に配置され、その上部にセンサ２０が配置されている。
ゲート１６は、コイン通路１４を落下するコイン１８を正貨通路２８又は偽貨通路３０に振り分ける機能を有している。
【００２３】
本実施例においてゲート１６はセンサ２０下流のコイン通路１４に出入り可能であり、コイン１８が正貨の場合コイン通路１４の外に位置し、偽貨の場合コイン通路１４に位置する。
詳述すれば、正貨の場合、ソレノイド３２が励磁されてゲート１６をコイン通路１４から退避させ、偽貨の場合ソレノイド３２が励磁されないので図示しないスプリングによってコイン通路１４に保持される。
これにより、コイン通路１４を落下する偽貨は、ゲート１６に衝突して偽貨通路３０に案内され、返却口（図示せず）に返却される。
正貨は、コイン通路１４から正貨通路２８に落下した後、金庫（図示せず）に案内される。
【００２４】
次に電気部６の構造を説明する。
センサ２０は、コイン１８の直径、材質及び厚み等のコインの真偽を判定するためのデータを検出する機能を有しており、方式は、電気式、光学式又は磁気式等適宜採用できる。
センサ２０は用途に応じ、直径、材質又は厚み等の判定データの内の一つのみを検知するようにしても良いが、複数を組み合わせて検知することができる。
複数組み合わせた場合、真偽判定の精度が高まるので複数組み合わせることが好ましい。
本実施例においては、３個のコイル２２、２４、２６をコイン通路１４の周囲に巻き付け、直径、材質、厚みの判別用データを個別に検知している。
【００２５】
コイル２２、２４、２６は、シリンダ形のコアにコイルを巻きつけてコイン通路１４に隣接配置してもよい。
コイル２２は直径データ、コイル２４は材質データ及びコイル２６は厚みデータの取得用である。
次にセレクタ回路２１を説明する。
セレクタ回路２１は、コイン通路１４の側方の機械部４の鎖線で示す部位に固定されている。
【００２６】
図２において、便宜的に右側にセレクタ回路２１のブロック回路図を示してある。
コイル２２、２４、２６に発振回路３４、３６、３８が接続してある。
発振回路３４は、整流回路４０及びＡＤ回路４８を介して判別手段５４に接続されている。
発振回路３６は、整流回路４２及びＡＤ回路５０を介して判別手段５４に接続されている。
発振回路３８は、整流回路４６及びＡＤ回路５２を介して判別手段５４に接続されている。
【００２７】
また、コイン毎の判別用の基準データを記憶した基準データ記憶手段５６が設けられている。
本実施例においては米国コイン判別のため、新１セント基準データ記憶回路５８、５セント基準データ記憶回路６０、１０セント基準データ記憶回路６２、２５セント基準データ記憶回路６４、５０セント基準データ記憶回路６６、１ドル基準データ記憶回路６８、旧１セント基準データ記憶回路７０及び機上セット基準データ記憶回路７１が設けられている。
【００２８】
これら、基準データ記憶回路５８、６０、６２、６４、６６、６８、７０、７１は、正貨判別のための基準データ（金種情報及び調整幅情報）を記憶する。
なお、金種情報は、選択された金種を正貨として判別する範囲であり、調整幅情報は、前記金種情報の幅を広げ、或いは狭める係数である。
それら基準データ記憶回路は、選択手段７２を介して判別手段５４に接続されている。
選択手段７２は、基準データ記憶回路５８から７１のうち外部設定装置７４によって設定された一つの基準データ記憶回路の基準データを利用可能にする機能を有する。
【００２９】
判別手段５４は、コイル２２、２４、２６から得られた投入コイン１８のデータと選択手段７２を介して得られる基準データとを比較し、投入コイン１８の真偽を判別する機能を有している。
具体的には、各コイルから得られたデータが基準データの範囲内にある場合、正貨と判定し、その範囲から外れた場合偽貨と判定する。
投入コイン１８が正貨の場合、ゲート制御手段７６を介してソレノイド３２を所定時間励磁する。
【００３０】
また、選択手段７２の基準データ記憶手段５６の選択換えのための外部設定装置７４との通信のための通信手段７５、及び各ブロック回路及び外部設定回路８４に電源を供給するための電源手段７７が設けられている。
判別手段５４、選択手段７２及びゲート制御手段７６は、マイクロプロセッサ７９においてプログラムにより構成されている。
さらに、セレクタ回路２１には、外部設定回路８４との接続用のコネクタ７８が固定されている。
【００３１】
コネクタ７８は、コイン通路１４と取付けフランジ８０との谷間に配置し、搬送する際等に他部位にコネクタ７８が当接して損傷しないよう、保護されるようにしてある。
また、セレクタ回路２１の状態を表示するための発光体８１がコネクタ８１の下方に配置されている。
【００３２】
次に外部設定装置７４を図１及び３を参照して説明する。
外部設定装置７４は、ハンディタイプのボックス８２及びボックス内に配置した外部設定回路８４を含んでいる。
外部設定回路８４には、コネクタ８６が装着され、セレクタ回路２１のコネクタ７８とＬＡＮケーブル８８を介して接続される。
ＬＡＮケーブル８８は、信号ライン８９と電源ライン９１を含んでいる。
ＬＡＮケーブル８８端部のコネクタ９３はコネクタ８６に抜き差し可能であり、他端部のコネクタ９５は、コネクタ７８に抜き差し可能である。
【００３３】
ボックス８２の表面左上部には、電源が供給された場合点灯する電源表示発光体９０が取り付けられている。
その直ぐ右側にはセレクタ回路２１のビジー状態を発光することによって表示する状態表示発光体９２が取り付けられている。
それら発光体の下方に判定金種設定用のトグル式の選択スイッチ９４、９６、９８、１００、１０２、１０４、１０６が横方向に一列に所定の間隔で配置されている。
【００３４】
それらスイッチの直ぐ上側に、選択されている場合発光する金種表示用の発光体１０８、１１０、１１２、１１４、１１６、１１８、１２０が配置されている。
本実施例において、スイッチ９４及び発光体１０８は１セントコイン、スイッチ９６及び発光体１１０は５セントコイン、スイッチ９８及び発光体１１２は１０セントコイン、スイッチ１００及び発光体１１４は２５セントコイン、スイッチ１０２及び発光体１１６は５０セントコイン、スイッチ１０４及び発光体１１８は１ドルコイン、スイッチ１０６及び発光体１２０は旧１セントコインにそれぞれ対応している。
【００３５】
選択スイッチ１０４と１０６の直ぐ下側に選択手段７２の選択換え用の押しボタン式の選択実行スイッチ１２２が配置されている。
これら選択中金種表示用の発光体１０８、１１０、１１２、１１４、１１６、１１８、１２０、選択スイッチ９４、９６、９８、１００、１０２、１０４、１０６及び選択実行スイッチ１２２は、選択換え手段１２４を構成している。
選択実行スイッチ１２２の下方において、ほぼ一列にトグル式の機上設定スイッチ１２６、調整用のデジタルロータリスイッチ１２８、調整値表示手段１３０、機上設定実行スイッチ１３２が配置されている。
【００３６】
調整値表示手段１３０は、１５個の発光体がクランク状に配置され、基準は中央の発光体であり、デジタルロータリスイッチ１２８のレベルが基準に対して高い場合、図１において右側の発光体がそのレベルに対応して発光し、基準に対して低い場合、左側の発光体が発光する。
機上設定スイッチ１２６の直ぐ上に機上設定モード表示用の発光体１３３が配置されている。
これら機上設定スイッチ１２６、機上設定実行スイッチ１３２、デジタルロータリスイッチ１２８、機上設定モード表示発光体１３３は、機上基準データ作成手段１３４を構成している。
【００３７】
図３に示すように、外部設定回路８４はマイクロプロセッサ１３５及び前記発光体９０、９２、選択スイッチ９４、９６、９８、１００、１０２、１０４、１０６、選択実行スイッチ１２２、発光体１０８、１１０、１１２、１１４、１１６、１１８、１２０、機上設定スイッチ１２６、デジタルロータリスイッチ１２８、調整値表示手段１３０、機上設定実行スイッチ１３２、機上設定モード表示用発光体１３３によって構成されている。
なお、前記発光体は、小型、低消費電力、低価格等の観点により、ＬＥＤを用いることが好ましい。
さらに、発光体は、他の表示手段に変更することができる。
【００３８】
つぎに、本実施例の作用を説明する。
まず、図４のフローチャートを参照しつつ製造出荷時のイニシャルセット処理を説明する。
外部設定装置７４と同様に構成したイニシャルセット装置（図示せず）をＬＡＮケーブル８８を介してセレクタ回路２１に接続する。
ステップＳ１において、選択スイッチ９４をオンにして１セント用の基準データ記憶回路５８を選択する。
【００３９】
次にステップＳ２において、基準となる１セントのコイン１８を投入口１２に挿入し、落下させる。
次にステップＳ３において投入したコイン１８のデータが取得される。
詳細に説明すると、コイン１８の落下により、コイン１８内部に生じる渦電流によってコイル２２、２４、２６の発振レベルが変化する。
【００４０】
換言すれば、コイル２２に接続された発振回路３４はコイン１８の直径に対応したレベルの電流を整流回路４０に送る。
コイル２４に接続された発振回路４２は材質に対応したレベルの電流を整流回路４２に送る。
コイル２６に接続された発振回路３８は厚みに対応したレベルの電流を整流回路４６に送る。
【００４１】
整流回路４０、４２、４６はその電流を整流し、ＡＤ回路４８、５０、５２に出力する。
ＡＤ回路４８、５０、５２はそれらアナログ電流値をデジタル値に変換する。
次にステップＳ４に進み、所定回、例えば１０回データを取得したか判別する。
１０回に満たない場合、ステップＳ２に戻る。
１０回データを取得した場合、ステップＳ５において取得した直径、材質及び厚みに関するデータを処理して１セントの基準データが作成される。
【００４２】
次にステップＳ６において、対応する１セントの記憶回路５８に前記作成した基準データが記憶される。
したがって、このイニシャルセットプロセスによれば、コイン通路１４やコイル２２、２４、２６の製造バラツキや組み立て精度等の特性が加味された基準データを作ることができる。
【００４３】
次に５セント用の記憶回路６０を選択してオンにし、前述同様に５セント用の基準データを記憶回路６０に記憶させる。
同様に、１０セントコイン、２５セントコイン、５０セントコイン、１ドルコイン及び旧１セントコインの基準データを作成し、対応する記憶回路にそれぞれ記憶する。
この後、コインセレクタ１は、購入者に向けて発送される。
本実施例においては、７金種の基準データを記憶させたが、必要に応じ何種類でもよい。
【００４４】
購入者は、このコインセレクタ１をスロットマシンに装着する。
その後、顧客の利用に提供する前に、受入金種の設定をする。
この受入金種設定のプロセスを図５及び図６のフローチャートを参照しつつ説明する。
まず、外部設定回路８４のコネクタ８６にＬＡＮケーブル８８のコネクタ９３を挿入し、他方のコネクタ９５をコインセレクタ１のコネクタ７８に挿入する。
【００４５】
これにより、電源ライン９１を介して電源が供給され、外部設定回路８４が機能を開始し、電源表示発光体９０が発光する。
外部設定回路８４は、ステップＳ１１において、マイクロプロセッサ１３５の初期設定を行った後、ステップＳ１２に進む。
ステップＳ１２において、状態確認コマンドがセレクタ回路２１に出力される。
セレクタ回路２１において、電源の投入によってステップＳ３１において、マイクロプロセッサ７９の初期設定が行われた後、ステップＳ３２に進んで通常選別モードプログラムが実行される。
【００４６】
すなわち、コイン１８が投入口１２に投入された場合、後述のコインの真偽判定プログラムが実行され、コイン１８の選別を行う。
コイン１８が投入されない場合、ステップＳ３３に進み、外部設定回路８４から「状態確認コマンド」が出力されたか判定する。
「状態確認コマンド」が出力されていない場合、ステップＳ３４に進み、外部設定装置７４から「選択実行コマンド」が出力されたか判定し、出力されていない場合、ステップＳ３５に進む。
【００４７】
ステップＳ３５において、外部設定装置７４から「機上基準データ作成コマンド」が出力されたか判定し、出力されていない場合、ステップＳ３２に戻る。
すなわち、コインが投入されず、かつ、各実行スイッチが操作（オン）されない場合、セレクタ回路２１のプログラムは、ステップＳ３２からＳ３５をループしている。
ステップＳ３３において、前記ステップＳ１２における「状態確認コマンド」を判定した場合、ステップＳ３６に進む。
【００４８】
ステップＳ３６において、セレクタ回路２１において設定されている「選択金種情報」及び「調整幅情報」を外部設定回路８４に送信する。
ステップＳ１３において、これら情報を受信した外部設定回路８４は、ステップＳ１４に進み、発光体１０８から１２０のうち対応する金種の発光体を発光させ、かつ、調整幅情報に基づいて、調整幅発光体１３０のうち対応する発光体を発光させる。
何れの情報も設定されていない場合、前記発光体は発光しない。
【００４９】
本ケースでは、未だ「選択金種情報」及び「調整幅情報」が設定されていないので、何れの発光体も発光しない。
次にステップＳ１５において、選択実行スイッチ１２２がオンになったか判定し、オフの場合ステップＳ１６に進む。
ステップＳ１６において、機上設定実行スイッチ１３２がオンになったか判定し、オフの場合ステップＳ１２に戻る。
【００５０】
すなわち、各実行スイッチが操作されない場合、外部設定回路８４のプログラムは、ステップＳ１２からＳ１６をループしている。
新たに金種を設定する場合、所定の選択スイッチをオンにする。
例えば、２５セントコインに対応する選択スイッチ１００をオンにし、選択実行スイッチ１２２を押す。
この場合、ステップＳ１５において選択実行スイッチ１２２がオンであるので、ステップＳ１７に進み、選択スイッチ１００の金種情報及び調整幅情報を含む選択実行コマンドをセレクタ回路２１に送信する。
【００５１】
セレクタ回路２１は、ステップＳ３４において選択実行コマンドの受信を判定した場合、ステップＳ３７に進み、金種情報（本ケースでは２５セント）及び調整幅情報（本ケースでは中央値）を解析した後、ステップＳ３８に進む。
ステップＳ３８において、選択スイッチ１２６がオンでない場合、ステップＳ３９に進み、基準データ記憶回路６４に予め設定されている２５セントの基準データ（金種情報及び調整幅情報）を有効にした後、ステップＳ３５に進む。
【００５２】
ステップＳ３５において、機上基準データ開始コマンドを受けていない場合、ステップＳ３２に戻り、ステップＳ３３からステップＳ３６に進み、有効にされた金種情報及び調整幅情報を外部設定回路８４に送信する。
外部設定回路８４は、この情報を受け、ステップＳ１４において対応する発光体１１４を発光させ、加えて調整幅表示手段１３０の対応する発光体を発光する。
【００５３】
次に、基準データ記憶回路５８から７０に記憶されていないコインの基準データを作成するケースを説明する。
例えば、スロットマシンにおいて、新たなトークンを使用するケースである。
換言すれば、機上設定用の基準データ記憶回路７１にコイン判別用の基準データを記憶させるプロセスを説明する。
【００５４】
まず、前述のようにＬＡＮケーブル８８のコネクタ９５をコインセレクタ１のコネクタ７８に挿入する。
これにより、コインセレクタ１から電源が供給され、外部設定回路８４が作動し、電源表示発光体９０が点灯する。
外部設定装置７４の機上設定実行スイッチ１３２が押されてオンになった場合、ステップＳ１６からステップＳ１８に進む。
【００５５】
ステップＳ１８において、外部設定回路８４におけるプログラムは、機上基準データ作成開始コマンドをセレクタ回路２１に出力した後、ステップＳ１９に進む。
ステップＳ１９において、再度、機上設定実行スイッチ１３２が押されてオンを判定した場合、ステップＳ２０に進み、機上基準データ作成中止コマンドをセレクタ回路２１に送信する。
【００５６】
機上設定実行スイッチ１３２が押されない場合、ステップＳ２１に進み、機上基準データ作成終了コマンドを判定する。
機上基準データ作成終了コマンドを判定した場合、ステップＳ１２に戻る。
機上基準データ作成終了コマンドを判定しない場合、ステップＳ１９に戻る。
セレクタ回路２１において、ステップＳ１８における機上基準データ作成開始コマンドを受けた場合、ステップＳ３５からステップＳ４２に進む。
【００５７】
ステップＳ４２において、機上基準データ作成中止コマンドを受信したか判定し、受信しない場合、ステップＳ４３に進む。
機上設定実行スイッチ１３２が再度押されてステップＳ２０における機上基準データ作成中止コマンドを受信した場合、ステップＳ３２に戻る。
ステップＳ４３において、コイン１８の投入を判定した場合、ステップＳ４４に進む。
ステップＳ４３においてコイン１８の投入を判定しない場合、ステップＳ４２に戻る。
【００５８】
ステップＳ４３において新たなコイン投入を判定した場合、ステップＳ４４に進み、前述のようにコイル２２、２４、２６から得られるデータを発振回路３４、３６、３８、整流回路４０、４２、４６及びＡＤ変換回路４８、５０、５２を介して取得し、マイクロプロセッサ１３４の内部メモリに格納する。
次にステップＳ４５において、データを所定回取得したか判別する。
この取得回数は予め設定されており、例えば１０〜２０の間が投入工数及び取得データの妥当性の観点で好ましい。
本実施例では、１０回に設定されているものとする。
【００５９】
この場合、一回目であるのでステップＳ４２に戻り、コイン１８の投入を待つ。
１０回分のデータを取得した場合、ステップＳ４６に進む。
ステップＳ４６において、前記取得したデータに基づいて所定の処理を行い、新たな基準データ（金種情報）を作成してステップＳ４７に進む。
ステップＳ４７において、新たに作成した基準データを基準データ記憶回路７１に記憶し、ステップＳ４８に進む。
【００６０】
ステップＳ４８において、機上基準データ作成終了コマンドを外部設定回路８４に出力する。
外部設定回路８４において、ステップＳ２１においてこの機上基準データ作成終了コマンドを判定した場合、ステップＳ１２に戻り、待機状態になる。
【００６１】
新たに設定した基準データの調整幅を調整する場合、機上設定スイッチ１２６をオンにした後、選択実行スイッチ１２２を押す。
これにより、セレクタ回路２１において、ステップＳ３４からＳ３７に進み、基準データ記憶回路７１の金種情報及び調整幅情報が解析される。
ここで、金種情報は、前記のように取得した基準データが解析され、調整幅情報は記憶されていない。
次に、ステップＳ３８において、選択スイッチ１２６がオンであるので、ステップＳ４０に進む。
【００６２】
ステップＳ４０において、デジタルロータリスイッチ１２８の設定情報を解析した後、ステップＳ４１において基準データ記憶回路７１に記憶させた後、ステップＳ３９に戻る。
ステップＳ３９において、ステップＳ３７において解析された前記基準データが有効された後、ステップＳ３５に戻る。
【００６３】
したがって、デジタルロータリスイッチ１２８を所定の値に調整した後、選択実行スイッチ１２２を押すことにより調整幅を調整することができる。
これにより、外部設定回路８４におけるステップＳ１４において、新たに設定された金種の発光体１３３、及び、設定された調整幅に対応する調整幅発光体１３０の対応する発光体が発光される。
【００６４】
なお、外部設定装置７４の状態表示発光体９２は、セレクタ回路２１のマイクロプロセッサ７９の状態を表示するものであって、セレクタ回路２１のマイクロプロセッサがビジー状態の場合、点灯する。
多数のスロットマシンの設定を連続して２５セントにセットする場合、選択スイッチ１００をオンにしたままＬＡＮケーブル８８のコネクタ９５を抜き、次のコインセレクタ１のコネクタ７８に挿入する。
【００６５】
これにより、外部設定回路８４に電源が供給されると電源表示発光体９０が発光する。
ステップＳ１５において、選択実行スイッチ１２２が押されてオンになった場合、セレクタ回路２１において前述同様にステップＳ３７に進んで、オンになっている選択スイッチ１００の金種情報及び調整幅情報が解析され、次にステップＳ３８において選択スイッチ１２６がオフであるのでステップＳ３９に進んで前記解析された２５セントに対応する基準データ記憶回路６４が有効にされる。
他のスロットマシンのコインセレクタについても同一の作業を繰り返すことにより、同一金種の基準データに変更することができる。
【００６６】
つぎに、前述のように設定された基準データに基づいて投入コインの真偽を判別する作用を図７のフローチャートを参照して説明する。
まず、ステップＳ５１においてコイン１８を投入する。
コイン１８が投入された場合、ステップＳ５２において前述のようにコイル２２、２４、２６を介してコインの直径、材質、厚みに関するデータが取得される。
【００６７】
次いでステップＳ５３において選択手段７２において選択され、有効にされている基準データ記憶回路、例えば、記憶回路６４に記憶されている２５セントの基準データと比較され、前記取得データが基準データの範囲外の場合、換言すれば偽貨の場合ステップＳ５１に戻る。
これによって、ゲート１６がコイン通路１４に突入したままであるので、偽貨であるコイン１８はゲート１６によって側方へ逸らされ、偽貨通路３０に案内される。
【００６８】
取得データが基準データの範囲内の場合、換言すれば、正貨の場合、ステップＳ５４に進み、ゲート制御手段７６を介してソレノイド３２を所定時間励磁する。
これにより、ゲート１６はコイン通路１４から退出するので、コイン１８はそのまま落下し、正貨通路２８に達した後、金庫に収納される。
【００６９】
【発明の効果】
このように本発明において、コイン判別用の基準データは、基準データ記憶手段に記憶され、必要に応じてその基準データを有効にするだけで良いので、複数の基準コインを投入して作成する必要が無く、容易に基準データを変更できる利点がある。
また、記憶回路に記憶された基準データを有効化するので、通信によるデータの書き換えをしないので、基準データの信頼性が高い利点がある。
【００７０】
さらに、記憶されている基準データを有効化するには、外部設定装置を操作できる者に限られるので、例えば、外部設定装置を管理者のみが所持することにより、不正に基準データを書き換えられる恐れが少ない。
さらにまた、コイン判別用の基準データは、予めコインセレクタに基準コインを投入することによって作成され、基準データ記憶手段に記憶されているので、コインセレクタ個別の部品精度や組み立て精度等の特性に基づいた基準データが設定されているので、判別精度が高い利点を有する。
【００７１】
さらに、外部設定装置は電源を個別に装着せずとも良いので、小型化かつ軽量にできる利点がある。
また、基準データの選択スイッチと選択実行スイッチの二つのスイッチを操作することで基準データの選択替えを行うことができるので、設定替えが容易である。
【００７２】
さらに、機上基準データ作成手段により、コインセレクタの記憶装置に記憶されていない新たなコインの判別用の基準データを複数の基準コインを投入することにより作成し、記憶させることができるので、新たなコインの判別も容易に行うことができる。
さらにまた、新たな基準データを作成する場合、基準コインに対する感度を調整値表示手段で確認しながら設定できるので、基準データの作成が容易である利点を有する。
【００７３】
【図面の簡単な説明】
【図１】図１は、実施例のコインセレクタと外部設定装置の斜視図である。
【図２】図２は、実施例のコインセレクタのブロック図である。
【図３】図３は、実施例の外部設定装置のブロック図である。
【図４】図４は、実施例のコインセレクタのイニシャルセット用のフローチャートである。
【図５】図５は、実施例の対象コイン切換時の基準データ選択換え用のフローチャートである。
【図６】図６は、実施例の外部設定装置の作用説明用のフローチャートである。
【図７】図７は、実施例のコインセレクタの作用説明用のフローチャートである。
【符号の説明】
１    コインセレクタ
１６    ゲート
２０    コインセンサ
２１    セレクタ回路
５４    判別手段
５６    基準データ記憶手段
７２    選択手段
７４    外部設定装置
７６    ゲート制御手段
８８    ケーブル
８９    信号ライン
９１    電源ライン
９４、９６、９８、１００、１０２、１０４、１０６  選択スイッチ
１２２    選択実行スイッチ
１３０    調整値表示手段
１３４    機上基準データ作成手段
【図１】
2004355042.tif 000003
【図２】
2004355042.tif 000004
【図３】
2004355042.tif 000005
【図４】
2004355042.tif 000006
【図５】
2004355042.tif 000007
【図６】
2004355042.tif 000008
【図７】
2004355042.tif 000009